(57)【特許請求の範囲】
【請求項１】
薬液注入システムからネットワークを介して、患者に対応する注入データにアクセス可能な遠隔装置へのリンクを提供する識別子であって、前記薬液注入システムの第１の要素に接続された電子データタグにおける前記識別子にアクセスし、
前記注入システムの第２の要素から所定の距離内に前記電子データタグおよび前記注入システムの第１の要素を配置し、
前記電子データタグを介して前記遠隔装置から前記注入データにアクセスすることを含む薬液注入システムに関する注入データの管理方法。
【請求項２】
前記電子データタグおよび注入システムの第１の要素が前記注入システムの第２の要素から所定の距離内に入ると自動的に、前記電子データタグにアクセスされる請求項１に記載の方法。
【請求項３】
前記識別子へのアクセスは無線周波信号の送信を含む請求項１または２に記載の方法。
【請求項４】
前記注入データは、患者名、病院識別番号、患者の年齢、体重、体表面積（ＢＳＡ）、症状およびアレルギーのうちの少なくとも１つを含む請求項１から３のいずれか１項に記載の方法。
【請求項５】
前記注入データは、患者の投薬記録、薬剤識別子、薬品濃度、希釈液識別子、薬剤投与量または流体流量、禁忌を示す薬剤のうちの少なくとも１つを含む請求項１から４のいずれか１項に記載の方法。
【請求項６】
前記電子データタグが無線自動識別装置（”ＲＦＩＤ”）タグである請求項１から５のいずれか１項に記載の方法。
【請求項７】
前記注入システムの第１の要素が医薬品コンテナである請求項１から６のいずれか１項に記載の方法。
【請求項８】
前記注入システムの第２の要素が輸液ポンプである請求項１から７のいずれか１項に記載の方法。
【請求項９】
前記注入データが薬剤の有効期限を含む請求項１から８のいずれか１項に記載の方法。
【請求項１０】
前記注入データは、ボーラス注入率、ライン内空気制限値、およびＩＶ閉鎖の制限値の
うちの少なくとも１つを含む請求項１から９のいずれか１項に記載の方法。
【請求項１１】
患者ベッドサイド装置で前記注入データを修正することをさらに含む請求項１から１０のいずれか１項に記載の方法。
【発明の詳細な説明】
【参照関連出願】
【０００１】
本出願は、データの転送用に構成された注入システムと題する２０１３年６月２６日出願の米国特許出願第１３／９２７,８４７号の優先権を主張し、その全ての内容全体を本明細書に組み込む。
【背景】
【０００２】
医師や他の医療従事者は、患者のさまざまな病状を治療するために点滴（”ＩＶ”）輸液療法を施す。ＩＶ輸液療法は通常、患者の血管に挿入されたカニューレへバッグまたはボトルなどの流体源や容器から流体投与器具によって薬剤、静脈内輸液またはＩＶ栄養素などの薬剤流体を注入することを特徴としている。
【０００３】
病院や他の機関は、高質な患者ケアを継続的に提供することを目指している。患者が間違った薬剤を与えられ、または正しい薬剤を間違った時間に、もしくは間違った処方量で与えられるなどの医療ミスは、すべての医療施設にとって重大な問題である。これらの間違いは多様であり、薬剤の投与経路の誤りや投与のタイミングの誤りが含まれる場合がある。重要な品質管理手順であるにもかかわらず、間違った流体容器がポンプまたはポンプ流路に設置されるリスクが残っている。
【０００４】
適切な患者に適切な薬剤を適切な処置パラメータで確実に投与するためには、医療用流体容器、輸液ポンプおよび患者の間で正確かつ効率的な通信を行うシステムおよび方法を有することが好ましい。患者の医薬投与記録を自動的に更新するシステムと方法のさらなる必要性が認識されている。本発明は、これらのニーズや他のニーズを満たす。
【発明の概要】
【０００５】
開示されるのは、薬剤注入システムの注入データ（例えば、適切な薬剤、投薬情報、薬剤の識別、患者の識別、および／または他の関連すると思われる情報）をプログラムし、追跡し、および／またはモニタするように構成されたシステムおよび方法である。無線自動識別装置（”ＲＦＩＤ”）タグなどの電子データタグを、例えば薬剤容器や輸液器具（ときには注入カセットとも言う）などの注入システムの１つまたは複数の要素に取り付けることがある。電子データタグは、次に詳細に説明するように、どんなさまざまな箇所においても注入データを読み取り、および／または書き込むことが可能である。電子データタグを使用すれば、適切な薬剤と投与量を意図する患者にその薬剤と投与量を確実に投与するようにすることが可能である。
【０００６】
一態様において開示される薬剤注入システムに関する注入データの管理方法は、注入データを注入システムに関連する電子タグに書き込み、データタグは、注入システムの第１の要素に接続され、電子データタグおよび注入システムの第１の要素を注入システムの第２の要素から所定の距離内に配置し、電子データタグを介して注入データにアクセスすることを含む。
【０００７】
本願記載の主題の１つまたは複数の変形例の詳細は、添付図面と以下の説明に記載されている。本願記載の主題の他の特徴事項と利点は、明細書および図面、ならびに請求項によって明白になる。
【図面の簡単な説明】
【０００８】
【図１】図１は４つの輸液ポンプを有する患者治療システムの正面図であり、それぞれのポンプは、対象の流体源に接続されて流体源の内容物を患者へポンプ注入する。
【図２】図２は図１の患者治療システムの一部の拡大図であり、プログラミングモジュールのそれぞれの側に装着された２つの輸液ポンプ、およびそれぞれのディスプレイと操作キーを示し、プログラミングモジュールは両方の輸液ポンプをプログラミングすることができる。
【図３】図３は、図１および図２の輸液ポンプの１つで正面のドアが開いた状態の斜視図である。
【図４】図４は、１つの実施形態の患者治療システムの要素を示すブロック図である。
【図５】図５は、想定し得る輸液システムのコンピューティング環境を示すシステム図である。
【０００９】
さまざまな図面における同様の参照記号は、同様の要素を表す。
【詳細な説明】
【００１０】
開示されるのは、薬剤注入システムの注入データ（例えば、適切な薬剤、投薬情報、薬剤の識別、患者の識別、および／または他の関連すると思われる情報）をプログラムし、管理し、および／またはモニタするように構成されたシステムおよび方法である。無線自動識別装置（”ＲＦＩＤ”）タグなどの電子データタグを、例えば薬剤容器や輸液器具（ときには注入カセットとも言う）などの注入システムの１つまたは複数の要素に取り付けることが可能である。電子データタグは、次に詳細に説明するように、どんなさまざまな箇所においても注入データを読み取り、および／または書き込むことが可能である。電子データタグを使用すれば、適切な薬剤と投与量を意図する患者にその薬剤と投与量を確実に投与するようにすることが可能である。
【００１１】
図面をさらに詳細に参照するが、各図にわたって同様の参照番号で同様または同等の要素を示す。図１には４つの輸液ポンプ２２、２４、２６および２８を有する患者治療システム２０が示され、それぞれのポンプは上流の流体ライン３０、３２、３４および３６に流体接続されている。４つの輸液ポンプ２２、２４、２６および２８のそれぞれは、下流の流体ライン３１、３３、３５および３７のそれぞれにも、その順番で流体接続されてもいる。各流体ラインは、ＩＶ投与器具など内部を流体が通過可能な任意の型の流体管路であってもよい。シリンジポンプを含む、さまざまなポンプ機構のいずれでも使用可能であることを認識すべきでる。
【００１２】
流体源３８、４０、４２、４４はさまざまな形態をとってもよいが、この場合はボトルとして図示され、逆さまにしてポンプの上方に懸架されている。流体源は、注射器を含むバッグまたは他のタイプの容器の形をとってもよい。患者治療システム２０、ならびに流体源３８、４０、４２および４４は、両方ともローラスタンド、ＩＶポール４６、卓上などに装着される。
【００１３】
個別の輸液ポンプ２２、２４、２６および２８を使用して流体源の各液体を患者に注入する。輸液ポンプは、それぞれの流体ラインに作用して流体を流体源から流体ラインを通って患者４８に流す流量制御装置である。個々のポンプを使用することが可能なため、それぞれのポンプは、その流体用に医師の指示した特定の流量で特定の薬液をそれぞれの流体源から患者に注入するのに必要な注入パラメータまたは処置パラメータに個別に設定することが可能である。このような医療用流体は、医薬品や栄養素または他の流体を含んでもよい。
【００１４】
通常、医療用流体投与器具には、図１に示されているよりも多くの部品を有している。多くは当業者に周知の逆止弁、点滴チャンバ、弁付き注入ポート、コネクタおよび他の素子を有する。これらの他の素子は図示の明確さを維持するために図面に記載していない。
【００１５】
図１の図面は、原寸に比例してなく、明確さのために長さが縮小されていることに注意すべきである。実際の設定では、ボトル３８、４０、４２および４４と輸液ポンプモジュール２２、２４、２６および２８間の距離がはるかにより大きい可能性がある。４つの上流の流体ライン３０、３２、３４および３６の全てがボトルから懸架されている場合、これらの流体ラインが相互に絡み合う可能性が多くなり、どの投与器具がどの注入モジュール内に装填されているかに関して混乱を生じることもあろう。投与器具数が増加するにつれて、混乱の可能性は増加する。
【００１６】
ここで図２を参照すると、輸液ポンプ２４の前面拡大図が示されている。このポンプは前扉５０およびハンドル５２を含み、ハンドルは、運転の際に扉を閉じた状態でロックし、また内部の給送機構および検出機構にアクセスしポンプに投与器具を装填する際はロックを解除して扉を開けるように操作する。扉を開けると図３に示すように、チューブをポンプに接続できる。扉を閉じると、チューブは、ポンプの給送機構、上流および下流の圧力センサ、および他の装置と作動係合状態になる。液晶ディスプレイやＬＥＤディスプレイなどのディスプレイ５４がよく見えるように、本実施形態では扉に配置され、これを使用して警告表示（例えば、アラームメッセージ）など、ポンプに関連するさまざまな情報を視覚的に伝達することが可能である。操作キー５６が設けられ、輸液ポンプの動作をプログラミングし、操作する。輸液ポンプ２４は、スピーカの形をとる音声警報装置（図示せず）も含んでいる。
【００１７】
図示の実施形態では、プログラミングモジュール６０が輸液ポンプ２４の左側に取り付けられている。図１に示すように輸液ポンプの右側には、別の輸液ポンプを含む他の装置またはモジュールを取り付けてもよい。そのようなシステムでは、取り付けた各ポンプが患者治療システム２０全体のポンプ流路を表す。一実施形態では、プログラミングモジュールを使用して輸液ポンプ２４と外部装置の間のインタフェースを提供し、また輸液ポンプ２４の操作者インタフェースの大部分を提供する。
【００１８】
プログラミングモジュール６０は、ポンプ２４の動作パラメータや、警告表示およびアラームメッセージなどのさまざまな情報を視覚的に伝達するためのディスプレイ６２を含む。プログラミングモジュール６０は、可聴アラームを出力するスピーカも含んでよい。プログラミングモジュールまたは何らかの他のモジュールは、また、本実施形態ではさまざまな入力装置も有し、これは、操作キー６４、および輸液、患者、介護者またはその他に関する電子データタグの情報をスキャンするバーコードなどのスキャナまたはリーダを含む。プログラミングモジュールは通信システム（図示せず）も有し、これは、医療施設サーバや他のコンピュータなどの外部機器、および介護者が所持して情報を転送するとともに薬剤ライブラリをプログラミングモジュールもしくはポンプにダウンロードするためのハンドヘルド型個人用情報端末（”ＰＤＡ）、またはラップトップ型コンピュータもしくは他の情報装置などの携帯型処理装置と通信可能なものである。これは、ローカル装置を介するなど無線または有線装置で実行することが可能である。
【００１９】
通信システムは、無線周波数（”ＲＦ”）（無線周波数）方式、赤外線などの光方式、ブルートゥース方式、または他の有線または無線方式の形をとってもよい。または、バーコードスキャナおよび通信システムは、プログラミングモジュールを使用しない場合、もしくはプログラミングモジュールを有するものに追加とする場合など、輸液ポンプ２４と一体として含まれてもよい。さらに、情報入力装置は医療機器と有線接続する必要はなく、無線接続を介して情報を転送してもよい。
【００２０】
図２には、プログラミングモジュール６０に接続された第２のポンプモジュール２６が含まれている。図１に示されているように、より多数のポンプモジュールを接続してもよい。さらに、他の種類のモジュールをポンプモジュールまたはプログラミングモジュールに接続してもよい。
【００２１】
ここで図３を参照すると、輸液ポンプ２２が前扉５０を開いた状態で斜視図として示され、ポンプ２２と作動係合する上流の流体ライン３０と下流の流体ライン３１が図示されている。輸液ポンプ２２はチューブ６６に直接作用し、チューブは上流の流体ライン３０を下流の流体ライン３１に接続して、それぞれの流体源３８（図１）から患者４８まで伸びる連続流体管路を形成し、これを通して流体にポンプが作用して流体を下流へ患者まで給送する。具体的には、ポンプ機構７０は、ポンプの流量制御装置として機能し、管路に流体を貫流させる。上流と下流の流体ラインおよび／またはチューブ６６は、本明細書に参照によって組み込んだ同時係属の米国特許出願第１３／８２７,７７５号に記載されたタイプなど、ポンプ２に連結されるように構成されたポンプカセットやカートリッジに連結してもよい。
【００２２】
ポンプ機構の種類は異なってもよく、また例えばマルチフィンガポンプ機構でもよい。例えば、ポンプ機構は「４フィンガ」型でもよく、上流の閉鎖フィンガ７２、主ポンプフィンガ７４、下流の閉鎖フィンガ７６、および二次ポンプフィンガ７８を含む。「４フィンガ」ポンプ機構と他の線形蠕動ポンプで使用される機構は、カム駆動ポンプフィンガと弁フィンガ７２、７４、７６および７８を利用して流体管路の各区間を順番に押厚することによって動作する。圧力は管路の順次の箇所に印加され、ポンプ機構の上流端から始まって下流端に向かって作用する。常に少なくとも１つのフィンガが導管の閉鎖に十分な強さで押圧している。実際には、あるフィンガが、次の順番のフィンガがチューブを閉鎖してしまうまで、チューブの閉鎖を解除しない。したがって、片時も流体源から患者まで直通流体通路が開くことはない。４つフィンガポンプを含む蠕動ポンプの動作は当業者に周知であり、ここでは動作の詳細をこれ以上は記載しない。
【００２３】
この特定の実施形態において、図３はさらに、ポンプ機構の下流の位置でポンプ２２の実施形態に含まれる下流の圧力センサ８２を示す。下流の圧力センサ８２は、流量制御装置７０に装着され、流量制御装置に隣接してその下流に位置している。下流の圧力センサは、流量制御装置の下流側、すなわち患者４８（図１）と流量制御装置の間の位置に配置され、正しい流体源と正しいポンプの接続を確認できてから、何らかの流体が患者までポンプ給送されるようになっている。
【００２４】
図３の参照を続けると、ポンプ２２は上流の圧力センサ８０も含んでよい。上流の圧力センサは、流量制御装置またはポンプ機構７０に属し、この実施形態では、さらにポンプ２２の一体部分として設けられている。このセンサは、流量制御装置７０に装着され、流量制御装置に隣接してその上流に位置している。上流の圧力センサは、流量制御装置の上流、すなわち流体源３８（図１）と流量制御装置の間の位置に配置され、正しい流体源と正しいポンプの接続を確認できてから、何らかの流体が患者までポンプ給送されるようになっている。
注入データシステム
【００２５】
前述のように、注入システムは、注入データ（例えば、適切な薬剤、投薬情報、薬剤の識別、患者の識別、薬剤給送のタイミング、および／または他の関連すると思われる情報）をプログラムし、管理し、および／またはモニタするように構成されている。データは、医薬品の投与経路または装置も含んでよい。無線自動識別装置（”ＲＦＩＤ”）タグなどの電子データタグを注入システムの１つまたは複数の要素と連結してもよい。電子データタグは、次に詳細に説明するように、どんなさまざまな箇所においても注入データを読み取り、および／または書き込むことが可能である。また、輸液システムの１つまたは複数の要素は、電子データタグのデータを読み取り送信する電子データリーダまたは送信機を装備してもよい。一実施形態では、電子データタグは、データタグから所定の距離内にデータリーダが入った時にのみ読取り可能な近距離無線データタグである。
【００２６】
再度図１を参照すると、一実施形態では、流体源３８、４０、４２および４４はそれぞれ、この順に電子データタグ８１、８３、８５および８７に、または送信回路に接続されている。本注入システムに関連するいずれかの装置または要素に、電子データタグ、リーダまたは送信機を装備してもよい。
【００２７】
ポンプまたはポンプの一部にも、電子データタグやデータ送信機を装備してもよい。例えば、図３のように、ポンプにデータタグ８９またはリーダ装置９０を装備して注入データを出力または受信するようにしてもよい。データリーダ装置は、流体容器に対応するデータタグに対応可能なＲＦＩＤリーダ（もしく受信機）または他の無線装置を含んでもよい。データ送信機は、流体容器に対応する電子データタグ８１、８３、８５、８７に質問信号を送信してこれらのタグから注入データを取得してもよい。データ送信装置は、データ送信装置またはＲＦＩＤタグもしくはＲＦＩＤトランスポンダと称されるが、データを受信し、または読み取り、また再書込みが可能であってもよい。
【００２８】
データタグに関連する注入データは多様であってよく、例えば、患者名、病院の識別番号、および患者の年齢、体重、症状、体表面積（ＢＳＡ）、アレルギーなどの他の情報を含んでもよい。これらのデータは、例えば、患者のＭＡＲ（薬剤管理記録）、医薬品識別子、薬品濃度、希釈液の識別子、投与量や流量、他のポンプ関連パラメータ、禁忌指示薬または症状、ボーラス投与率、ポンプ装置のライン内空気の限界値およびＩＶ閉鎖の制限値も含んでよい。例えば、これらのデータは、薬局での初期配合から薬剤投与までの期限に関する情報を含んでもよい。禁忌には、一般的に患者の症状や診断を基に、薬剤に禁忌を指示するかどうかに関する情報が含まれる。禁忌は、患者の医薬品に対するアレルギーに関する情報、または同じＩＶラインで患者が受けている他の医薬品と物理化学的観点から互換性がない医薬品に関する情報も含む場合がある。
【００２９】
図４は、注入データシステムに関連するデータタグの使用方法の例を示す。最初のステップ４０５でユーザは、本輸液システムに関連する少なくとも１つのデータタグに注入データを書き込む。前述のように、注入データの内容は大きく異なる場合がある。一実施形態では、ユーザは、注入データをデータタグに書き込んでデータタグ自体が注入データを含むようにする。例えば、ユーザは、患者名、薬品ＩＤ、注入スケジュール等の情報を電子データタグに書き込んでデータの全体または一部がタグに直接格納されるようにする。これによってユーザは、データをタグから直接読み取ることでデータにアクセスすることができる。
別の実施形態では、実際の注入データをタグに格納しない。代わりに、英数字の識別子などの識別子をデータタグに格納する。識別子は、アクセス可能な注入データを有するサーバなどの遠隔装置へのリンクを提供するものである。遠隔装置は、１人または複数の患者の注入データが識別子に対応して保存される中央データベースであってもよい。これは、管理が容易な中央装置を構成し、これによって、複数のデータタグで一人の患者に矛盾したり一貫性がなかったりする注入データを与えることになるリスクを軽減している。これは、中央データベースおよびサーバの読取り／書込み機能へのアクセスを制限することによって、注入のセキュリティを確保することが可能な手段も提供する。こうして、本注入システムの第１の要素に接続された電子データタグの識別子にアクセスし、識別子は、患者に対応する注入データにアクセス可能な遠隔装置へのリンクを提供する。そこで、電子データタグと注入システムの第１の要素を注入システムの第２の要素の所定の距離内に置くと、注入データは、遠隔位置から注入データをダウンロードすることで電子データタグを介してアクセスされる。
【００３０】
図４のステップ４０５の参照を続けると、注入データ（または注入データに対応する患者識別子）は、さまざまな場所のどこででもデータタグに書き込むことが可能である。例えば、電子データタグが医薬品容器に貼ってある場合、注入データは、その薬剤を最初に準備した薬局でデータタグに書き込んでもよい。注入データを電子データタグに直接格納する場合、データはユーザがデータタグに直接書き込む。注入データを中央データベースに格納する場合、（データを書き込む主体が適切な認証を有しているとすれば）中央データベースのリンクにアクセスしてデータを中央データベースに書き込む。
【００３１】
注入データは、電子データタグにアクセスできる病院内装置または任意の場所など、薬局以外の場所で書き込み、および／または修正してもよい。この点では、適切な権限を持つ人なら誰でも、電子データタグに書き込むことができる。電子データタグは、集中管理サービスを介して注入データにアクセスするための一意の識別情報として機能する。
【００３２】
次の手順４１０でユーザは、電子データタグからの注入データにアクセスおよび／または編集する。注入データは、データリーダを使用して手動でアクセスしてもよい。例えば、看護師や他の従事者は、データリーダをデータタグに接続して注入データを読み取ってもよい。そこで看護師は注入データを使用して、注入データに含まれている薬液注入スケジュールに従って輸液ポンプをプログラムしてもよい。
【００３３】
または、データのアクセスは、データリーダを含む装置の所定の距離内に電子データタグが入ることなどによって、自動的に行ってもよい。例えば、輸液ポンプの１つに、輸液ポンプの所定の距離内に入ったデータタグの注入データに自動的にアクセスするデータリーダを設けてもよい。その場合、輸液ポンプは注入データを使用して、輸液ポンプに注入データを自動的に入力し、および輸液ポンプをそのデータに従ってプログラムしてもよい。
【００３４】
電子データタグは、容器、注射器等に含まれている医薬品の追跡にも使用することが可能である。医薬品容器に対応するデータタグは、対応する位置データと共に（ＧＰＳ経由などで）読み取ることが可能である。その場合、位置データはデータタグまたは中央データベースに記録され、医薬品容器の位置の変化を追跡する手段を提供してもよい。
コンピューティング環境の例
【００３５】
図５は、輸液システムの可能なコンピューティング環境６０１を示す。コンピューティング環境６０１は、病院、診療所、研究室または他の環境などの医療環境の中での輸液システムを含んでもよい。さまざまな機器およびシステムは、医療環境内部および医療環境から遠隔のいずれであっても、少なくとも１つのコンピューティングネットワーク６０２経由で相互動作可能である。このコンピューティングネットワーク６０２は、これらのさまざまな装置やシステム同士で、何らかの形態または媒体のデジタル通信接続（有線または無線）を行うことができる。通信ネットワークの例としては、ローカルエリアネットワーク（”ＬＡＮ”）、ワイドエリアネットワーク（”ＷＡＮ”）、インターネットがある。いくつかのケースでは、さまざまな装置やシステムの１つ以上が（固定有線接続を介して、またはＢｌｕｅｔｏｏｔｈ（登録商標）やＷｉＦｉなど無線プロトコル経由で）ピアツーピア接続によって直相互動作可能である。さらに、いくつかのバリエーションでは、１つ以上の装置およびシステムがセルラデータネットワークを介して通信する。
【００３６】
特に、コンピューティングの環境６０１の各態様は次のようなコンピューティングシステムで実現することができる。すなわち、バックエンド要素（例えば、データサーバ６０４として）を含むもの、もしくはミドルウェア要素（例えば、アプリケーションサーバ６０６）を含むもの、もしくはフロントエンド要素（例えば、ユーザが本願記載の主題の実施例と対話できるグラフィカルユーザインタフェースもしくはウェブブラウザを有するクライアントコンピュータ６０８）、またはそのようなバックエンド要素、ミドルウェア要素もしくはフロントエンド要素の任意の組合せを含むコンピューティングシステムである。クライアント６０８とサーバ６０４および６０６は一般に、互いに離れていて、通常は通信ネットワーク６０２を通して相互動作する。クライアント６０８とサーバ６０４、６０６との関係は、それぞれのコンピュータで実行され互いにクライアント・サーバの関係を有するコンピュータプログラムによって発生する。クライアント６０８は、医療環境内でさまざまな機能を提供するローカルアプリケーションを含むさまざまなコンピューティングプラットフォームのいずれであってもよい。クライアント６０８の例は、デスクトップコンピュータ、ラップトップコンピュータ、タブレット、およびタッチスクリーンインタフェースを持つ他のコンピュータを含むが、それに限定されない。ローカルアプリケーションは、ネットワーク接続が不要であり、および／またはサーバ６０４、６０６の１つ以上と相互動作できる（ウェブブラウザなど）という点で自己完結するものでもよい。
【００３７】
前記コンピューティング環境でのさまざまな装置やシステム上では、電子健康記録アプリケーション、医療装置のモニタリング、操作およびメンテナンスアプリケーション、スケジューリングアプリケーション、課金アプリケーションなどのさまざまなアプリケーションを実行できる。
【００３８】
ネットワーク６０２は、１つまたは複数のデータ蓄積システム６１０に接続することができる。データ蓄積システム６１０は、医療環境内または専用施設内で物理的データ蓄積装置を提供するデータベースを含む場合がある。これに加えて、または代わって、データ蓄積システム６１０は、例えばマルチテナント環境におけるデータの遠隔記憶域を提供するクラウドベースのシステムを含む場合がある。データ蓄積システム６１０は、非一時的コンピュータ可読媒体を含むことも可能である。
【００３９】
モバイル通信装置６１２もコンピューティング環境６０１の一部を形成することが可能である。モバイル通信装置６１２は、ネットワーク６０２経由で直接通信することが可能であり、および／またはセルラデータネットワーク６１４などの中間ネットワーク経由でネットワーク６０２と通信することができる。モバイル通信装置６１２は、例えば、ＳＭＳやＭＭＳなどのメッセージングプロトコルを含むさまざまな種類の通信プロトコルを使用することができる。
【００４０】
各種医療装置６１６は、コンピューティング環境６０１の一部として使用できる。医療装置６１６は、注入システムおよび関連する装置のうちの１つ以上を含む場合がある。これらの医療装置６１６は、特に限定しない限り、患者の１つまたは複数の生理学的測定関連値を特徴付け、および／または患者の治療を特徴付ける任意のタイプの通信インタフェース付装置またはシステムを含む場合がある。いくつかのケースで医療装置６１６は、（ネットワーク６０２で通信する相手としての）別の医療装置６１６とピアツーピアで有線または無線通信により通信する。例えば、医療装置６１６は、他の医療装置６１６、すなわち有線または無線パルスオキシメータに、また有線の血圧計に接続されるベッドサイド生命徴候モニタ装置を含む場合がある。医療装置６１６の１つまたは複数の動作パラメータは、臨床医によってローカルに調整され、ネットワーク６０２経由で臨床医を介して調整され、ならびに／またはサーバ６０４および／もしくは６０６、クライアント６０８、モバイル通信装置６１２、および／もしくは別の医療装置６１６のうちの１つ以上によって調整することが可能である。
【００４１】
コンピューティング環境６０１は、病院などの医療環境の中で必要なさまざまな機能を提供できる。例えば、薬局では、クライアントコンピュータ６０８のいずれかを使って処方を開始できる。この処方箋は、データ蓄積装置６１０に格納され、ならびに／または他のクライアント６０８、モバイル通信装置６１２および／もしくは医療装置６１６のうちの１つ以上に送出することが可能である。さらに、医療装置６１６は、患者および／または患者の治療の１つまたは複数の生理学的測定関連値を特徴付けるデータを出力することができる（例えば、医療装置６１６が輸液管理システムの場合など）。医療装置６１６によって生成されたデータ６１６は、他の医療装置６１６、サーバ６０４および６０６、クライアント６０８、モバイル通信装置６１２に伝達し、ならびに／またはデータ蓄積システム６１０に保存することが可能である。
【００４２】
本願記載の主題の１つ以上の態様または特徴事項は、デジタル電子回路、集積回路、ＡＳＩＣ（特定用途向け集積回路）、コンピュータハードウェア、ファームウェア、ソフトウェア、および／またはこれらの組合せによって実現することが可能である。これらのさまざまな実現形態は、プログラム可能なシステムで実行可能および／または解読可能な１つ以上のコンピュータプログラムでの実現を含んでよく、プログラム可能なシステムとは、専用または汎用でよい少なくとも１つのプログラム可能な処理装置を含むものであり、処理装置は、少なくとも１つの入力装置（例えば、マウス、タッチスクリーンなど）、および少なくとも１つの出力装置からデータを受信し、またそれらにデータを送信するように接続されている。
【００４３】
これらのプログラムはプログラム、ソフトウェア、ソフトウェアアプリケーション、アプリケーション、要素またはコードと称することもあるが、プログラム可能な処理装置の機械語命令を含み、高水準手続き型言語および／もしくはオブジェクト指向プログラミング言語ならびに／またはアセンブリ／機械言語で実現できる。本明細書で「機械可読媒体」と称する場合、プログラム可能な処理装置に機械語命令および／またはデータを与えるために使用される、例えば磁気ディスク、光ディスク、メモリおよびプログラム可能論理装置（ＰＬＤ）などの何らかのコンピュータプログラム製品、機器および／または装置を指し、機械可読信号として機械語命令を受信する機械可読媒体を含む。「機械可読信号」と称する場合、プログラム可能な処理装置に機械語命令および／またはデータを与えるために使用される何らかの信号を指す。機械可読媒体はこのような機械語命令を、例えば非一時的固体素子メモリ、または磁気ハードドライブもしくは何らかの同等の蓄積媒体などのように非一時的に保存することができる。機械可読媒体は、これに代わって、または追加的に、そのような機械語命令を一時的に保存することができ、例えば、１つ以上の物理プロセッサコアに関連するプロセッサキャッシュ、または他のランダムアクセスメモリなどである。
【００４４】
これらのプログラムはプログラム、ソフトウェア、ソフトウェアアプリケーション、アプリケーション、要素またはコードと称することもあるが、プログラム可能な処理装置の機械語命令を含み、高度な手続き型言語、オブジェクト指向プログラミング言語、関数型言語、論理プログラミング言語および／またはアセンブリ／機械言語で実現できる。本明細書で「機械可読媒体」と称する場合、プログラム可能な処理装置に機械語命令および／またはデータを与えるために使用される、例えば光ディスク、メモリおよびプログラム可能論理装置（ＰＬＤ）などの何らかのコンピュータプログラム製品、機器および／または装置を指し、機械可読信号として機械語命令を受信する機械可読媒体を含む。「機械可読信号」と称する場合、プログラム可能な処理装置に機械語命令および／またはデータを与えるために使用される何らかの信号を指す。機械可読媒体はこのような機械語命令を、例えば非一時的固体素子メモリ、または磁気ハードドライブもしくは何らかの同等の蓄積媒体などのように関連非一時的に保存することができる。機械可読媒体は、これに代わって、または追加的に、そのような機械語命令を一時的に保存することができ、例えば、１つ以上の物理プロセッサコアに関連するプロセッサキャッシュ、または他のランダムアクセスメモリなどである。
【００４５】
ユーザと対話を行うために、本願記載の主題は、ユーザに情報を表示するための、例えばブラウン管（ＣＲＴ）や液晶表示（ＬＣＤ）モニタなどのディスプレイ装置と、コンピュータへ入力を行うためのキーボードおよび、例えばマウスやトラックボールなどのポインティングデバイスとを有するコンピュータで実現することが可能である。他の種類の装置を使用しても、ユーザとの対話を行うことができる。例えば、ユーザに対するフィードバックは、例えば視覚フィードバック、聴覚フィードバックまたは触覚フィードバックなどの何らかの形の感覚フィードバックでよく、ユーザからの入力は、音響、音声または触覚入力を含むいずれかの形をとる受信でよいが、それらに限定されない。その他の使用可能な入力装置は、多点もしくは複点抵抗膜方式もしくは静電容量方式トラックパッドなどのタッチスクリーンまたは他のタッチ検出装置、音声認識ハードウェアおよびソフトウェア、光学スキャナ、光学ポインタ、デジタル撮像装置および対応の解読ソフトウェア等を含むが、それらに限定されない。
【００４６】
本願記載の主題は、所望の構成に応じてシステム、装置、方法および／または物品として具体化することが可能である。上述の説明の実現例は、本願記載の主題と両立する実現例をすべて表している訳ではない。むしろ、それらは、説明した主題に関連する態様と一致するいくつかの例にすぎない。いくつかのバリエーションを以上に記載したが、それ以外の修正や追加が可能である。特に、本願に記載した他に、さらなる特徴事項や変形を提供することが可能である。例えば上記の実現例は、開示した特徴事項のさまざまなコンビネーションおよびサブコンビネーション、ならびに／または上に開示したいくつかのさらなる特徴事項のコンビネーションおよびサブコンビネーションを対象とすることが可能である。さらに、添付図に示し、および／または本明細書で説明した論理フローは、望ましい結果を達成するために必ずしも図示の特定の順序または順番を必要としない。次の特許請求の範囲内で他の実現例があり得る。
【図１】
0006619735.tif 000002
【図２】
0006619735.tif 000003
【図３】
0006619735.tif 000004
【図４】
0006619735.tif 000005
【図５】
0006619735.tif 000006